(57)【要約】  本発明のルアーは、ボディと、前記ボディの前後方向に伸び且つボディ内に設けられた重り移動空間と、前記重り移動空間内に収容され且つ重り移動空間に沿ってボディの前後方向に移動可能な球状重りと、前記重り移動空間の前方側に設けられ且つ磁力を通じて前記球状重りを保持する保持部材と、を有し、前記重り移動空間の前方部と保持部材との間に、仕切壁が設けられており、前記仕切壁が、前記重り移動空間側から前記保持部材側に向かって次第に薄くなった傾斜面部を有する。このルアーは、球状重りが移動することによって重心が変化し得る。
2011092832.tif 000002
【特許請求の範囲】
【請求項１】
ボディと、前記ボディの前後方向に伸び且つボディ内に設けられた重り移動空間と、前記重り移動空間内に収容され且つ重り移動空間に沿ってボディの前後方向に移動可能な球状重りと、前記重り移動空間の前方側に設けられ且つ磁力を通じて前記球状重りを保持する保持部材と、を有し、
前記重り移動空間の前方部と保持部材との間に、仕切壁が設けられており、
前記仕切壁が、前記重り移動空間側から前記保持部材側に向かって次第に薄くなった傾斜面部を有するルアー。
【請求項２】
前記仕切壁に円形の孔が形成され、前記円形の孔の周囲に前記傾斜面部が形成されている請求項１に記載のルアー。
【発明の詳細な説明】
【技術分野】
【０００１】
本発明は、球状重りが移動することによって重心が変化し得るルアーに関する。
【背景技術】
【０００２】
従来、例えば、特許文献１のようなルアーが知られている。この従来のルアー１００は、図８及び図９に示すように、ボディ２００と、前記ボディ２００の前後方向に伸び且つボディ２００内に設けられた重り移動空間３００と、前記重り移動空間３００内に収容され且つ重り移動空間３００に沿ってボディ２００の前後方向に移動可能な鋼球５００（球状重り）と、前記重り移動空間３００の前方部に設けられた磁石６００と、を有する。
この磁石６００の表面は、前記重り移動空間３００の前方部側に露出している。従って、重り移動空間３００の前方部に移動した鋼球５００は、磁力を通じて、磁石６００の表面に直接付着する。また、前記重り移動空間３００の両側面には、左右の側面レール３１０，３１２がそれぞれ突出され、さらに、重り移動空間の上面には、上面レール３１４が下方に突出されている。これら左右の側面レール３１０、３１２及び上面レール３１４は、重り移動空間３００の中心軸と平行な方向に伸びた、長状の突起部からなる。【０００３】
前記ルアー１００を投げたときには、鋼球５００が磁石６００から離れ、且つその鋼球５００がボディ２００の後方部に移動する。よって、ルアー１００が遠くへ飛んでいく。一方、ルアー１００が着水したときには、鋼球５００がボディ２００の前方部に移動し、且つ磁力を通じて磁石６００の表面にその鋼球５００が付着して保持される。鋼球５００が磁石６００に保持されることによって、ルアー１００の前方部が重くなる。この状態でルアー１００を引っ張ると、ルアー１００はその後方部を左右に揺りながら遊泳する。
このように、上記従来のルアー１００においては、鋼球５００がボディ２００内を前後に移動することによって、ルアー１００の重心が変化し得る。【０００４】
ところで、上記従来のルアー１００においては、鋼球５００が、左右の側面レール３１０，３１２の各先端面及び上面レール３１４の先端面に接しながら重り移動空間３００内を移動する。これら各レール３１０，３１２，３１４は、重り移動空間３００内で移動する鋼球５００が横ぶれ及び／又は縦ぶれすることを防止する機能がある。さらに、これら各レール３１０，３１２，３１４は、磁石６００に保持された鋼球５００が横ぶれ及び／又は縦ぶれすることを防止する機能がある。なお、前記「横ぶれする」とは、重り移動空間の中心軸を基準にして、その中心軸の左右方向に鋼球（重り）が振動することをいい、前記「縦ぶれする」とは、その中心軸の上下方向に鋼球（重り）が振動することをいう。【０００５】
しかしながら、上記各レールを設けただけでは、磁石６００に付着した鋼球５００が横ぶれ及び／又は縦ぶれすることを十分に防止できない場合がある。磁石６００に付着した鋼球５００が横ぶれ及び／又は縦ぶれすると、ルアー１００の遊泳中、鋼球５００が磁石６００から外れる或いは鋼球５００が振動することによって、ルアー１００の遊泳アクションが悪くなるという問題がある。
具体的には、一般にルアーの浮力を設定するため、様々な大きさの鋼球が重り移動空間に収容される（上述のように、鋼球はルアーの重りである）。例えば、より深く沈むルアーを得たい場合には、大径の鋼球が用いられ、一方、あまり沈まないルアーを得たい場合には、小径の鋼球が用いられる。
上記従来のルアー１００において、大径の鋼球に合致し得る各レールが設けられた重り移動空間内に小径の鋼球を収容した場合には、磁石に付着した前記小径の鋼球が横ぶれ及び／又は縦ぶれすることを十分に防止できない。他方、小径の鋼球に合致し得る各レールが設けられた重り移動空間内には、大径の鋼球を収容できない。すなわち、大径の鋼球は、突出高さの低い各レール（対向するレールの各先端面間の間隔が広い各レール）が設けられた重り移動空間に収容しなければならない。一方、小径の鋼球は、突出高さの高い各レールが設けられた重り移動空間に収容しなければならない。このように、従来のルアー１００においては、鋼球５００の径に対応した重り移動空間３００を個々に形成しなければならない。
しかしながら、様々な大きさの鋼球毎に重り移動空間を形成する、つまり、様々な大きさの鋼球毎に複数種のボディを製造することは、ルアーの製造コストの増大を招く。他方、大径の鋼球に合致し得る各レールが設けられた重り移動空間（１つの重り移動空間）に、小径の鋼球を収容すると、上述のように、磁石に付着した鋼球が横ぶれ及び／又は縦ぶれすることを十分に防止できない。
【先行技術文献】
【特許文献】
【０００６】
【特許文献１】日本国実用新案出願公開昭６３−２０７６６号公報
【発明の概要】
【発明が解決しようとする課題】
【０００７】
本発明の目的は、球状重りが移動することによって重心が変化し得るルアーにおいて、前方部に保持された球状重りが横ぶれ及び／又は縦ぶれすることを防止でき、且つ、製造コストを抑えることができるルアーを提供することである。
【課題を解決するための手段】
【０００８】
本発明のルアーは、ボディと、前記ボディの前後方向に伸び且つボディ内に設けられた重り移動空間と、前記重り移動空間内に収容され且つ重り移動空間に沿ってボディの前後方向に移動可能な球状重りと、前記重り移動空間の前方側に設けられ且つ磁力を通じて前記球状重りを保持する保持部材と、を有し、前記重り移動空間の前方部と保持部材との間に、仕切壁が設けられており、前記仕切壁が、前記重り移動空間側から前記保持部材側に向かって次第に薄くなった傾斜面部を有する。【０００９】
本発明の好ましいルアーは、前記仕切壁に円形の孔が形成され、前記円形の孔の周囲に前記傾斜面部が形成されている。
【発明の効果】
【００１０】
本発明のルアーは、保持部材によってボディの前方部に保持された球状重りが横ぶれ及び／又は縦ぶれし難い。従って、本発明によれば、後方部を良好に左右に揺りながら遊泳するルアーを提供できる。さらに、本発明によれば、このようなルアーを比較的安価に得ることができる。
【図面の簡単な説明】
【００１１】
【図１】本発明の１つの実施形態に係るルアーの側面図。
【図２】図１のＩＩ−ＩＩ線で切断した断面図。
【図３】図１のＩＩＩ−ＩＩＩ線で切断した断面を拡大した図。
【図４】図２の断面図において、仕切壁周辺を拡大した図。
【図５】本発明の他の実施形態に係るルアーの、仕切壁周辺を拡大した図。
【図６】本発明の更に他の実施形態に係るルアーの断面図（図３と同じ方向で切断した断面図）。
【図７】本発明の更に他の実施形態に係るルアーの断面図（図３と同じ方向で切断した断面図）。
【図８】従来のルアーの横断面図。
【図９】図９のＩＸ-ＩＸ線で切断した断面図。
【発明を実施するための形態】
【００１２】
［１つの実施形態に係るルアー］
図１は、本発明のルアーの側面図であり、図２及び３は、図１のルアーを縦及び横方向でそれぞれ切断した断面図であり、図４は、図２の一部拡大図である。なお、図３及び４において、球状重りを二点鎖線で表している。
図１〜図４において、ルアー１は、ボディ２と、前記ボディ２の内部に設けられた重り移動空間３と、前記重り移動空間３内に収容された球状重り５と、前記重り移動空間３の前方側に設けられた保持部材６と、前記重り移動空間３の前方部と保持部材６との間に設けられた仕切壁７と、を有する。この仕切壁７は、テーパとされた傾斜面部８を有する。傾斜面部８は、前記重り移動空間３側から保持部材６の中央部側に向かって厚みが次第に薄くなった部分である。
以下、各構成部材ごとに分けながら、本発明のルアー１の詳細を説明する。
【００１３】
［ボディ及び重り移動空間について］
図示したボディ２においては、その外形が小魚を真似た形状とされている。もっとも、ボディ２の外形は、小魚に似た形状に限られず、様々な形状に変更してもよい。
さらに、ボディ２の外面に、無数の小さな窪み（ディンプル）が形成されていてもよい（図示せず）。ボディ２の表面が無数の小さな窪みを有することにより、ルアー１を投げたときに、ルアー１が空気抵抗を受け難くなる。従って、より遠くに投げ飛ばすことができるルアー１を提供できる。
【００１４】
ボディ２は、それ自体、水（淡水及び海水を含む）に浮く部材である。
ボディ２の比重は、１未満であれば特に限定されないが、好ましくは０．９以下であり、より好ましくは０．８以下であり、特に好ましくは０．６以下である。
前記ボディ２は、非磁性材料で形成されている。
ここで、本明細書において、非磁性材料とは、それ自身磁性を帯びておらず且つ磁石を近づけても磁性を帯びない材料（つまり、磁石に付かない材料）をいう。磁性材料とは、磁石を近づけると磁性を帯びる性質を有する材料（つまり、磁石に付く材料）をいう。磁石とは、外部から磁場や電流の供給を受けずに磁界を有するもの（磁性材料を引き付ける性質を有するもの）をいう。
【００１５】
ボディ２の材質は、特に限定されず、例えば、ＡＢＳ樹脂などの硬質合成樹脂、ウレタンなどの軟質合成樹脂、発泡ウレタンなどの発泡合成樹脂、木、及び２以上の素材を組み合わせた複合材料などが挙げられる。
ボディ２は、中空状であってもよいし、中実状であってもよい。なお、中実状のボディ２とは、その内部に空洞部を有しないボディ２である。
１つの実施形態のボディ２は、図２に示すように、その内部に空洞部２２を有する（つまり、中空状である）。内部に空洞部２２を形成することにより、比重が１を超えるボディ材料（例えば、ＡＢＳ樹脂など）を用いた場合でも、比重０．９以下のボディ２を容易に作製できる。中空状のボディ２は、例えば、硬質合成樹脂で形成される。
【００１６】
さらに、ボディ２の内部には、重り移動空間３が形成されている。重り移動空間３は、ボディ２の前後方向に延びる細長い筒状の空間である。重り移動空間３内に収容された球状重り５が重り移動空間３の前後方向（伸びる方向）に円滑に移動できることを条件にして、重り移動空間３の縦断面形状は、特に限定されない。本実施形態では、重り移動空間３の断面形状は、図３に示すように、略正方形状とされている。もっとも、重り移動空間３の断面形状は、略円形状などに形成してもよい。
ボディ２内に形成された複数の壁によって囲われた空間が、上記重り移動空間３である。この複数の壁は、非磁性材料から形成されている。
縦断面形状が略正方形状である上記重り移動空間３は、ボディ２の前後方向に延びる上下一対の上壁３１及び下壁３２と、ボディ２の前後方向に延び且つ前記上壁３１及び下壁３２の間に介在された左右一対の左壁３３及び右壁３４と、によって囲われた空間である。この上壁３１、下壁３２、左壁３３及び右壁３４の各表面は、平坦面とされている。
これら各壁３１，３２，３３，３４は、通常、ボディ２と一体的に成形される（つまり、各壁とボディ２は、同一の材料から形成される）。もっとも、ボディ２とは別個独立に各壁の部材を成形し、この各壁の部材をボディ２の内部に接合することによって、上記重り移動空間３を形成してもよい。
【００１７】
また、必要に応じて、前記左壁３３及び右壁３４の各表面に、及び／又は、前記上壁３１及び下壁３２の各表面に、上記従来のルアーと同様に、レールをそれぞれ突出してもよい（レールは図示せず）。このレールは、上記従来のルアーと同様に、重り移動空間３の中心軸と平行な方向に伸びる、長状の突起部から構成される。
【００１８】
前記ボディ２は、通常、複数の成形体からなる。例えば、ボディ２は、左右対称一対の半割成形体を接合することによって形成されている。このような一対の半割成形体を接合して得られるボディ２は、その内部に空洞部及び重り移動空間３を容易に形成できるので好ましい。
【００１９】
なお、ボディ２の前端部には、ライン（釣り糸）を締結するための環状のライン連結部４１が突出されている。
ボディ２の後端部には、釣り針を係止するための環状の釣り針連結部４３が突出されている。ボディ２の腹部略中央部にも、同様の環状の釣り針連結部４４が突出されている。フック状の釣り針４２（例えばトレブルフックなど）が、前記釣り針連結部４３，４４にそれぞれ係止されている。
【００２０】
ボディ２の頭部下方部には、水流抵抗板４５が突出されている。この水流抵抗板４５は、ボディ２から一体的に突出されている。水流抵抗板４５は、ルアー１を揺れ動かす機能を有する。つまり、水中でルアー１を引っ張ったときに水流抵抗板４５に水流が当たることによって、ルアー１が揺れ動く。
【００２１】
［仕切壁について］
仕切壁７は、重り移動空間３の前方部に設けられている。仕切壁７は、重り移動空間３と保持部材６の間に介在している。この仕切壁７は、保持部材６の表面に仕切壁７の裏面が接するように配置されている。或いは、仕切壁７は、隙間を有した状態で保持部材６の表面に配置されていてもよい（図示せず）。
この仕切壁７は、磁力の透過を阻害しない材料で形成されていることが好ましい。仕切壁７の形成材料は特に限定されないが、仕切壁７の形成材料は、非磁性材料又は磁性材料が好ましく、更に、非磁性材料がより好ましい。本実施形態では、仕切壁７は、ボディ２と一体的に成形されている（つまり、仕切壁７とボディ２は、同一の材料から形成される）。もっとも、ボディ２とは別個独立に仕切壁７を成形し、この仕切壁７を重り移動空間３の前方部に取り付けてもよい。
【００２２】
仕切壁７は、傾斜面部８を有する。この傾斜面部８は、仕切壁７の一部分であって、重り移動空間３側から保持部材６の中央部側に向かって厚みが次第に薄くなった部分である。
本実施形態では、仕切壁７に円形の孔９が形成され、この円形の孔９の周囲に前記傾斜面部８が連続的に形成されている。つまり、仕切壁７は、仕切壁の中央部に向かうに従って厚みが次第に薄くなった正面視リング状の傾斜面部８と、傾斜面部８で囲われる内側に開口された円形の孔９と、を有する。この傾斜面部８は、図３に示すように、正面視略円形リング状とされていることが好ましい。なお、本明細書において、正面視の形状は、重り移動空間側から仕切壁の法線方向に傾斜面部を見たときの形状をいう。
この仕切壁７の裏面側には、保持部材６が配置されている。従って、保持部材６の表面の中央部は、仕切壁７の孔９から露出している。
重り移動空間３の前方部に移動した球状重り５は、前記仕切壁７の傾斜面部８の内側（傾斜面部８の内側とは、傾斜面部８で囲われた領域）に嵌り込み且つ傾斜面部８の表面に接すると共に、前記孔９から露出した保持部材８の表面に磁力を通じて付着する。
【００２３】
［保持部材について］
保持部材６は、重り移動空間３の前方側に設けられている。
上記仕切壁７の裏面側には、保持部材６を収納するためのケース部２１が形成されている。このケース部２１に保持部材６が嵌め入れられている。
前記保持部材６は、球状重り５を引き寄せ、重り移動空間３の前方部に球状重り５を保持する部材である。球状重り５が磁性材料から形成されている本実施形態においては、保持部材６は、磁石（永久磁石）から形成されている。磁石としては、例えば、フェライト磁石、アルニコ磁石、磁石鋼、樹脂磁石、ゴム磁石などが挙げられる。前記樹脂磁石は、金属などが混合された樹脂を成形することにより得られる磁石であり、前記ゴム磁石は、金属などが混合されたゴムを成形することにより得られる磁石である。前記保持部材６がゴム磁石からなる場合、保持部材６に球状重り５が当たったときの衝撃及び衝撃音を緩和できる。
保持部材６の形状は、特に限定されず、例えば、その形状としては所定厚みの板状などが挙げられる。
【００２４】
［球状重りについて］
球状重り５は、重り移動空間３内に移動自在に収容されている。上述のように、重り移動空間３は、ボディ２の前後方向に延びる細長い筒状である。球状重り５は、この重り移動空間３の前後方向に移動可能である。
球状重り５は、比重の大きい磁性材料を球状に形成することによって得られる。球状重り５の比重は、ボディ２に比して十分に大きければ特に限定されないが、好ましくは６以上であり、より好ましくは７以上である。
磁性材料としては、特に限定されないが、代表的には、鉄、ニッケル、コバルトなどの鉄族金属、鉄族金属を含む合金、及び鉄族金属の酸化物などが挙げられる。このような磁性材料は、比重が６以上であり且つ強磁性を有するので、球状重り５の形成材料として好ましい。例えば、球状重り５は、鋼球からなる。
ルアー１の浮力設定に応じて、重り移動空間３には、様々な大きさの球状重り５が収容される。球状重り５の直径（大きさ）は、特に限定さないが、通常、２ｍｍ〜１５ｍｍ程度であり、好ましくは、３ｍｍ〜１０ｍｍ程度である。
【００２５】
本実施形態のルアー１においては、重り移動空間３内に、２個の球状重り５が収容されている。もっとも、重り移動空間内に球状重りが１個だけ収容されていてもよいし、３個以上収容されていてもよい（図示せず）。複数（２個又は３個以上）の球状重りが収容される場合、これらの球状重りは通常全て同じものが用いられるが、これらの球状重りの一部又は全部が異なっていてもよい。
重り移動空間３内に、複数の球状重り５が収納されている場合、各球状重り５は、重り移動空間３内において前後に並んで移動する。
そして、前方の球状重り５は磁力を通じて保持部材６に付着し、一方、後方の球状重り５は磁力を通じて前方の球状重り５に付着する。すなわち、保持部材６に付着した前方の球状重り５を介して保持部材６の磁力が後方の球状重り５に作用することによって、複数の球状重り５が前後に並んで保持部材６に保持される。
【００２６】
［ルアーの使用例について］
上記ルアー１は、ライン連結部４１にラインを結んで使用される。ルアー１を投げたときには、慣性によって球状重り５が重り移動空間３の後方部に移動する。従って、ルアー１の重心が後方寄りとなり、ルアー１の後方部を先頭にしてルアー１を遠くに飛ばすことができる。一方、ルアー１が着水したときには、球状重り５がボディ２の前方部に移動し、保持部材６の磁力によって、球状重り５がボディ２の前方部に保持される（図２参照）。このように球状重り５が仕切壁７の表面に保持されることによって、ルアー１の前方部に重心が移る。この状態のルアー１を引っ張ると、後方部を左右に揺りながらルアー１が遊泳する。
【００２７】
本発明のルアー１は、保持部材６と重り移動空間３の前方部との間に、傾斜面部８を有する仕切壁７が設けられている。この傾斜面部８は、重り移動空間３側から保持部材６の中央部側に向かって次第に薄くなったテーパ状の面である。重り移動空間３の前方に移動した球状重り５は、前記傾斜面部８の内側に嵌り込み、球状重り５の表面が傾斜面部８の表面に接すると共に、磁力を通じて保持部材８に付着する。前記傾斜面部８の表面に接した状態の球状重り５は、この傾斜面部８に支持されることによって動き難くなる。このため、ルアー１の遊泳中に、前記保持部材８に付着した球状重り５が横ぶれ及び／又は縦ぶれすることを防止できる。
また、本発明のルアー１においては、大径の球状重り及びこれよりも直径の小さい小径の球状重りを使用しても、これら何れの球状重りも傾斜面部８の内側に嵌り込む。従って、本発明によれば、１つの形状の重り移動空間３（１つの形状のボディ２）に、大径の球状重り又は小径の球状重りを適宜選択して収容しても、これら球状重りが横ぶれすることを防止できる。このように本発明によれば、球状重り５の大きさに対応した、異なる重り移動空間３をそれぞれ形成する必要がないので、ルアー１の製造コストを抑制できる。
【００２８】
［他の実施形態に係るルアー］
本発明のルアーは、上記実施形態に示したような構造に限られず、様々な構造に変更できる。以下、上記実施形態と異なる構成を主として説明し、上記実施形態と同様の構成については、その説明を省略し、用語及び符号を援用する。
上記実施形態では、仕切壁７は、円形の孔９を有するが、例えば、仕切壁７は、孔を有しないものでもよい。例えば、図５に示すように、仕切壁７の表面（重り移動空間３と対向する面）が、皿状の凹み部７１を有していてもよい。この凹み部７１は、例えば、正面略円形状に形成されている。この皿状の凹み部７１は、その中央が最も深く、その中央から全方位の外方向に向かって徐々に浅くなっている。つまり、皿状の凹み部７１を有する仕切壁７においては、凹み部７１の中央に対応した部分の厚みが最も薄く、その部分の周囲の部分の厚みが外方向に向かうに従って徐々に厚くなっている。この周囲の部分が、仕切壁７の傾斜面部８に相当する。
【００２９】
また、上記実施形態では、傾斜面部８は、正面視略円形リング状であるが、傾斜面部８は、正面視略四角形リング状、正面視略六角形リング状などに形成されていてもよい（図示せず）。
さらに、上記実施形態では、傾斜面部８は、周方向に連続的に形成された形状（正面視リング状）であるが、傾斜面部８は、周方向に部分的に形成されていてもよい。傾斜面部が周方向に部分的に設けられる形態を、図６及び図７に示す。
図６の仕切壁７においては、左右一対の正面視略円弧状の傾斜面部８Ｒ，８Ｌが、所定間隔を開けて向かい合って設けられている。
図７の仕切壁７においては、上下一対の正面視略円弧状の傾斜面部８Ｕ，８Ｄが、所定間隔を開けて向かい合って設けられている。
図６の傾斜面部８Ｒ，８Ｌを有するルアーは、球状重り５が横ぶれすることを効果的に防止でき、図７の傾斜面部８Ｕ，８Ｄを有するルアーは、球状重り５が縦ぶれすることを効果的に防止できる。
【産業上の利用可能性】
【００３０】
本発明のルアーは、ブラックバス、スズキ、シイラ、タコ、烏賊などの各種の釣りに使用できる。
【符号の説明】
【００３１】
１  ルアー
２  ボディ
３  重り移動空間
５  球状重り
６  保持部材
７  仕切壁
８  傾斜面部
【図１】
2011092832.tif 000003
【図２】
2011092832.tif 000004
【図３】
2011092832.tif 000005
【図４】
2011092832.tif 000006
【図５】
2011092832.tif 000007
【図６】
2011092832.tif 000008
【図７】
2011092832.tif 000009
【図８】
2011092832.tif 000010
【図９】
2011092832.tif 000011
【国際調査報告】
2011092832.tif 000012
2011092832.tif 000013